(57)【要約】      （修正有）【課題】作業の運用が変更になった際の、手順情報作成者の負担を軽減する、手順情報表示装置を提供する。【解決手段】手順情報表示装置１が、複数の作業項目の各々について、作業の順序を示す情報と、作業の指示と、実行または非実行の区別を示す情報とを含む手順情報を記憶する記憶部１８０と、記憶部１８０が記憶している、作業の指示を表示する表示部１３０と、複数の作業項目のうち、実行または非実行の区別を示す情報が実行を示している作業項目について、作業の指示を作業の順序に従って表示部に表示させ、実行または非実行の区別が非実行となっている作業項目について、作業の指示の表示を抑制する表示制御部１９２と、を備える。【選択図】図１
2016162385.tif 000002
【特許請求の範囲】
【請求項１】
複数の作業項目の各々について、作業の順序を示す情報と、作業の指示と、実行または非実行の区別を示す情報とを含む手順情報を記憶する記憶部と、
前記記憶部が記憶している、作業の指示を表示する表示部と、
前記複数の作業項目のうち、前記実行または非実行の区別を示す情報が実行を示している作業項目について、作業の指示を前記作業の順序に従って前記表示部に表示させ、前記実行または非実行の区別が非実行となっている作業項目について、作業の指示の表示を抑制する表示制御部と、
を備える手順情報表示装置。
【請求項２】
ユーザが足で操作可能なフットスイッチを備え、
前記表示部は、前記フットスイッチでのユーザ操作に従って、前記作業の指示の表示を切り替える、
請求項１に記載の手順情報表示装置。
【請求項３】
複数の作業項目の各々について、作業の順序を示す情報と、作業の指示と、実行または非実行の区別とを含む手順情報を記憶する記憶部を備える手順情報表示装置が、前記記憶部が記憶している、作業の指示を表示する表示ステップと、
前記手順情報表示装置が、前記複数の作業項目のうち、前記実行または非実行の区別が実行となっている作業項目について、作業の指示を前記作業の順序に従って前記表示ステップにて表示し、前記実行または非実行の区別が非実行となっている作業項目について、作業の指示の表示を抑制する表示制御ステップと、
を有する手順情報表示方法。
【請求項４】
複数の作業項目の各々について、作業の順序を示す情報と、作業の指示と、実行または非実行の区別とを含む手順情報を記憶する記憶部を備えるコンピュータに、
前記記憶部が記憶している、作業の指示を表示する表示ステップと、
前記複数の作業項目のうち、前記実行または非実行の区別が実行となっている作業項目について、作業の指示を前記作業の順序に従って前記表示ステップにて表示し、前記実行または非実行の区別が非実行となっている作業項目について、作業の指示の表示を抑制する表示制御ステップと、
を実行させるためのプログラム。
【発明の詳細な説明】
【技術分野】
【０００１】
本発明は、手順情報表示装置、手順情報表示方法およびプログラムに関する。
【背景技術】
【０００２】
製造工場での組立・検査作業などの作業は、組立手順書や検査手順書などの手順書を使用して行うのが一般的である。また、手順書には項目名、作業内容、注意点等が記載され、手順書に記載された順番で作業を実施していくのが一般的である。
ところで、手順書に従って作業を進めていく際に、作業を実施する人（以下、作業員と称する）が手順書の内容を暗記していない場合、作業員が作業を実施する場所に手順書を配置し、手順書を参照しながら作業を進めることになる。この場合、実施する作業の内容を手順書から読み取る必要があり、作業効率が低下する。
【０００３】
また、作業員が手順書の内容を暗記している場合でも、作業内容と手順とについて、作業員の記憶に頼ることになる。仮に、作業員が手順書の内容を一部忘れた場合、手順書で想定されている作業が出来ないことになる。
また、作業で組立・検査を行う製品（以下、単に製品と称する）に対して、製品の特性測定や製品に関する情報の授受を行うソフトウェア（以下、制御ソフトと称する）を使用する場合がある。この場合、作業員の操作誤りにより起動する制御ソフトを間違えた場合、制御ソフトの再起動が必要となり作業効率が低下する。
【０００４】
また、作業手順の表示に関連して、特許文献１に記載の作業状況表示装置は、ユーザにより指定された一連の作業に対応する操作データを操作データ記憶部から取得する操作データ取得部と、操作データ取得部により取得された操作データに対応する条件データを条件データ記憶部から取得する条件データ取得部と、条件データ取得部により取得された条件データに基づいて、操作データ取得部により取得された操作データに対応する操作内容および操作結果にエラーがあるか否かを判定する判定部と、作業項目ごとの作業状況を含む作業情報を一連の作業の順番に表示する一覧画面を生成して表示する画面生成表示部と、を備え、画面生成表示部は、判定部によって操作内容および操作結果にエラーがあると判定された場合に、エラー内容およびエラー箇所を含むエラー表示を一覧画面に付加する。
特許文献１では、これにより、現在の作業状況や作業手順を簡易に確認できる、とされている。
【０００５】
また、特許文献２に記載の生産ナビゲーションシステムは、ネットワークを介して複数のナビゲーション端末と接続され、複数種の部品を配置する領域を区画して複数のサブ領域を持つ部品配置部と、部品を取るべきサブ領域を指示する際に、それぞれのサブ領域について複数種の表示態様によるいずれかの表示を、指示に応じて行う表示器群と、表示器群のいずれかに対して、前記指令を行った指示指令手段からの指示されたサブ領域についての表示器に、当該指示指令手段を有するナビゲーション端末に対応させた表示態様による表示を行わせる選択制御を行うアクセス位置指示装置と、を有する。
特許文献２ではこれにより、作業位置間において作業分担を変更しても、必要な部品を混乱なく取ることができるように作業支援できる、とされている。
【先行技術文献】
【特許文献】
【０００６】
【特許文献１】特開２０１３−１８２３０８号公報
【特許文献２】特開２００６−１７２３８７号公報
【発明の概要】
【発明が解決しようとする課題】
【０００７】
同一の製品に対する作業であっても場面によって異なる場合がある。
例えば、製品化後間もない初期時には、製品に不具合がないか検査する完成検査においていろいろな項目の検査を行うのに対し、製品化からある程度期間が経過した通常時の完成検査では、項目を幾つか減らした検査を行うという運用が考えられる。
このように運用が変わる度に設計書情報を作成するのは、設計書情報作成者にとって負担となる。かかる負担に対する対策について、特許文献１、２には明示されていない。
【０００８】
本発明は、上述の課題を解決することのできる手順情報表示装置、手順情報表示方法およびプログラムを提供することを目的としている。
【課題を解決するための手段】
【０００９】
本発明の第１の態様によれば、手順情報表示装置は、複数の作業項目の各々について、作業の順序を示す情報と、作業の指示と、実行または非実行の区別を示す情報とを含む手順情報を記憶する記憶部と、前記記憶部が記憶している、作業の指示を表示する表示部と、前記複数の作業項目のうち、前記実行または非実行の区別を示す情報が実行を示している作業項目について、作業の指示を前記作業の順序に従って前記表示部に表示させ、前記実行または非実行の区別が非実行となっている作業項目について、作業の指示の表示を抑制する表示制御部と、を備える。
【００１０】
本発明の第２の態様によれば、手順情報表示方法は、複数の作業項目の各々について、作業の順序を示す情報と、作業の指示と、実行または非実行の区別とを含む手順情報を記憶する記憶部を備える手順情報表示装置が、前記記憶部が記憶している、作業の指示を表示する表示ステップと、前記手順情報表示装置が、前記複数の作業項目のうち、前記実行または非実行の区別が実行となっている作業項目について、作業の指示を前記作業の順序に従って前記表示部に表示させ、前記実行または非実行の区別が非実行となっている作業項目について、作業の指示の表示を抑制する表示制御ステップと、を有する。
【００１１】
本発明の第３の態様によれば、プログラムは、複数の作業項目の各々について、作業の順序を示す情報と、作業の指示と、実行または非実行の区別とを含む手順情報を記憶する記憶部を備えるコンピュータに、前記記憶部が記憶している、作業の指示を表示する表示ステップと、前記複数の作業項目のうち、前記実行または非実行の区別が実行となっている作業項目について、作業の指示を前記作業の順序に従って前記表示部に表示させ、前記実行または非実行の区別が非実行となっている作業項目について、作業の指示の表示を抑制する表示制御ステップと、を実行させるためのプログラムである。
【発明の効果】
【００１２】
本発明によれば、作業の運用が変更になった際の、手順情報作成者の負担を軽減することができる。
【図面の簡単な説明】
【００１３】
【図１】本発明の一実施形態における手順情報表示装置の機能構成を示す概略ブロック図である。
【図２】一般的な手順書に記載されている項目の例を示す説明図である。
【図３】同実施形態における記憶部が記憶する手順情報の例を示す説明図である。
【図４】同実施形態において、パソコンが実行する処理内容の定義の例を示す説明図である。
【図５】同実施形態における表示部による表示画面の例を示す説明図である。
【図６】同実施形態において、手順情報表示装置が行う処理の手順の例を示すフローチャートである。
【図７】同実施形態における動作要素の処理手順の例を示すフローチャートである。
【図８】同実施形態の手順情報における表示領域の指定の例を示す説明図である。
【図９】本発明に係る手順情報表示装置の最小構成を示す概略ブロック図である。
【発明を実施するための形態】
【００１４】
以下、本発明の実施形態を説明するが、以下の実施形態は請求の範囲にかかる発明を限定するものではない。また、実施形態の中で説明されている特徴の組み合わせの全てが発明の解決手段に必須であるとは限らない。
図１は、本発明の一実施形態における手順情報表示装置の機能構成を示す概略ブロック図である。同図において、手順情報表示装置１は、パソコン１００と、フットスイッチ２００とを備える。パソコン(Personal Computer；ＰＣ)１００は、信号取得部１１０と、操作入力部１２０と、表示部１３０と、記憶部１８０と、制御部１９０とを備える。制御部１９０は、アプリケーション実行部１９１と、表示制御部１９２とを備える。
【００１５】
手順情報表示装置１は、作業の手順を示す装置である。以下では、手順情報表示装置１が対象とする作業が、製品の製造における組立作業及び検査作業である場合を例に説明するが、手順情報表示装置１が対象とする作業は、これに限らない。人が行ういろいろな作業を、手順情報表示装置１の対象とすることができる。
フットスイッチ２００は、ユーザ（作業員）が足で操作することにより、パソコン１００に対する入力を行う装置である。
【００１６】
パソコン１００は、手順情報表示装置１の本体として機能し、作業の手順を表示する。なお、パソコン１００の構成は、パソコンを用いた構成に限らない。例えば、パソコン１００が、作業手順表示専用に設計された装置を用いて構成されていてもよい。
信号取得部１１０は、フットスイッチ２００とのインターフェースとして機能し、フットスイッチ２００からの信号を取得する。
操作入力部１２０は、例えばキーボード及びマウスなどの入力デバイスを有し、ユーザ操作を受け付ける。従って、作業員は、手順情報表示装置１における入力デバイスとして、操作入力部１２０の入力デバイスと、フットスイッチ２００とを用いることができる。
【００１７】
表示部１３０は、例えば液晶パネル等の表示画面を有し、各種画像を表示する。特に、表示部１３０は作業の手順を表示する。具体的には、表示部１３０は、記憶部１８０が手順情報として記憶している、作業の指示を表示する。
記憶部１８０は、パソコン１００が有する記憶デバイスを用いて構成され、各種情報を記憶する。特に、記憶部１８０は、手順情報を記憶する。ここでいう手順情報は、作業の手順を示すデータである。記憶部１８０が記憶する手順情報は、複数の作業項目を含んでおり、各作業項目について、作業の順序を示す情報と、作業の指示と、実行または非実行の区別を示す情報とを含んでいる。
【００１８】
ここで、図２及び図３を参照して、記憶部１８０が記憶する手順情報について、一般的な手順書との比較にて説明する。
図２は、一般的な手順書に記載されている項目の例を示す説明図である。同図において、手順書に複数の項目の記載が含まれており、１つの行が１つの項目に対応している。また、各項目について、項目の実施順番を示す項目番号と、実施する作業の概要名を示す項目名と、実施する作業手順の詳細を示す作業手順と、実施する作業の注意点を示す注意点とが記載されている。同図の例では、項目番号１からｎの順に実施されることが想定されている。
【００１９】
図３は、記憶部１８０が記憶する手順情報の例を示す説明図である。同図において、手順情報は表形式のデータ構造にて複数の項目の記載を含んでおり、１つの行が１つの項目に対応している。また、各項目について、図２を参照して説明した項目番号、項目名、作業手順、注意点の各欄に加えて、動作、表示領域、実効／非実行の各欄が含まれ得る。
動作の欄には、パソコン１００が実行する処理内容の定義の記載が格納される。
【００２０】
表示領域の欄には、パソコン１００が実行する内容表示等の表示領域の設定が格納される。
実行／非実行の欄には、パソコン１００が手順書内容を実行するか否かの設定が格納される。具体的には、実効／非実行の欄には、実効または非実行のいずれかを示す情報が格納される。
記憶部１８０が手順情報を記憶するデータ形式は、いろいろな形式とすることができる。例えば、記憶部１８０が、ＣＳＶ形式の電子データファイルにて手順情報を記憶するようにしてもよい。
【００２１】
図４は、パソコン１００が実行する処理内容の定義の例を示す説明図である。同図の例では、＊起動、＊終了、手順表示、画像＊表示の４つの定義が示されている。なお、＊は任意の文字列を示す。
＊起動の「＊」は、ソフトウェアの識別情報（例えば、ソフトウェアの名称）を示す。＊起動では、パソコン１００は、指定されたソフトウェアを起動する。
【００２２】
＊終了の「＊」も、ソフトウェアの識別情報を示す。＊起動では、パソコン１００は、指定されたソフトウェアを終了する。
手順表示では、パソコン１００は、作業手順欄に示される作業手順の詳細情報と、注意点欄に示される注意点とを表示部１３０に表示する。
画像＊表示の「＊」は、画像の識別情報（例えば、画像のファイル名）を示す。画像＊表示では、パソコン１００は、指定された画像を表示する。
【００２３】
これら動作の要素は、例えば、手順情報を表示するためのアプリケーションプログラムの内部で定義する。そして、当該のアプリケーションプログラムを実行するパソコン１００は、動作欄に記載された動作の名称（動作要素名）に従って、項目毎に動作を実行する。
なお、以下では、手順情報を表示するためのアプリケーションプログラムを、手順書ソフトと称する。
【００２４】
制御部１９０は、パソコン１００の各部を制御して各種機能を実行する。制御部１９０は、パソコン１００が備えるＣＰＵ（Central Processing Unit）が記憶部１８０からプログラムを読み出して実行することで構成される。
アプリケーション実行部１９１は、各種アプリケーションプログラムを実行する。特に、アプリケーション実行部１９１は、手順書ソフトを実行する。アプリケーション実行部１９１は、手順書ソフトの実行により、例えば図３に示す手順情報を記憶部１８０から読み込み、項目番号1〜ｎの順に処理を実行する。
【００２５】
表示制御部１９２は、表示部１３０を制御して各種画像を表示させる。特に、表示制御部１９２は、アプリケーション実行部１９１の指示に従って、手順情報に示される情報を表示部１３０に表示させる。具体的には、表示制御部１９２は、手順情報に含まれる複数の作業項目のうち、実行または非実行の区別を示す情報（実行／非実行欄の情報）が実行を示している作業項目について、作業の指示（作業手順欄の情報）を作業の順序に従って表示部に表示させる。また、表示制御部１９２は、実行または非実行の区別が非実行となっている作業項目について、作業の指示の表示を抑制する（すなわち、表示させない）。
【００２６】
図５は、表示部１３０による表示画面の例を示す説明図である。
同図において、表示部１３０は、実施する作業の全項目名を項目名表示領域（領域Ａ１１）に表示している。また、項目名表示領域において表示部１３０は、実施済み項目と、実施中項目と、未実施項目とを色分けして表示するなど、作業の進捗を作業員がすぐに把握できる様に表示している。
【００２７】
また、表示部１３０は、実施する作業の注意点と作業手順とを、作業詳細表示領域（領域Ａ１２）に表示している。また、表示部１３０は、作業詳細表示領域に、作業係属ボタン（ボタンＢ１１）と、作業中断ボタン（ボタンＢ１２）とを表示している。
作業係属ボタンは、該当項目の作業終了時に作業員がマウスクリック等の押下操作を行うと、パソコン１００が、以降の作業に関する処理に進むボタンである。作業中断ボタンは、不良発生時等に作業員がマウス等で押下操作を行うと、パソコン１００が、以降の作業に関する処理を中断するボタンである。
なお、フットスイッチ２００にも作業係属ボタンと作業中断ボタンが設けられており、作業員は、足を使ってフットスイッチ２００にてボタン押下操作を行うことができる。足で操作可能なので作業員は、手がふさがっている状態でも操作を行うことができる。
【００２８】
また、表示部１３０は、作業を実施する上での不具合の画像、または、作業方法を示す画像などの画像を表示する場合、画像表示領域（領域Ａ１３）に表示する。
また、表示部１３０は、手順書ソフトが読み出すソフトウェアの名称、及び、当該ソフトウェアからの出力など、他のソフトウェアに関する情報を表示する場合、ソフトウェア情報表示領域（領域Ａ１４）に表示する。
なお領域Ａ１１〜Ａ１４の表示位置は、図５に示すものに限らない。例えば、図３の例では、手順書ソフトにおいて、表示部１３０が情報を表示する領域を表示領域欄に設定可能である。
【００２９】
図６は、手順情報表示装置１が行う処理の手順の例を示すフローチャートである。
同図の処理において、アプリケーション実行部１９１は、手順書ソフトを起動し、記憶部１８０から手順情報を読み込む（ステップＳ１０１）。
【００３０】
次に、アプリケーション実行部１９１は、作業進捗情報を記憶部１８０より読み込む（ステップＳ１０２）。この作業進捗情報は、対象となっている手順情報における一連の作業のうち、どこまでが実行されているかを示す情報である。特に、作業員が作業中断ボタンを押下した場合、記憶部１８０は、作業中断ボタン押下時における作業の進捗状況を、作業進捗情報として記憶しておく。
対象となっている手順情報における作業が新規に行われる場合、作業進捗情報は存在しない。この場合、アプリケーション実行部１９１は、手順情報における一連の作業を最初から実行するよう設定する。
【００３１】
ステップＳ１０２の後、アプリケーション実行部１９１は、ステップＳ１０２で読み込んだ作業進捗情報に従い、手順書に記載された全項目名を、表示制御部１９２を介して表示部１３０に表示させる（ステップＳ１０３）。その際、図５の領域Ａ１１の例のように、表示部１３０は、実施済み、実施中、未実施の項目を色分けして表示する。
【００３２】
次に、アプリケーション実行部１９１は、未実施の項目について手順情報の「実行／非実行」の要素（実行／非実行欄に格納されている情報）が「実行」であるか否かを判定する（ステップＳ１０４）。
「実行」であると判定した場合（ステップＳ１０４：ＹＥＳ）、アプリケーション実行部１９１は、全項目名の表示において、該当項目の表示色の設定を実施中の色に変更する（ステップＳ１０５）。当該変更に従って、表示部１３０が、表示色を変更する。
そして、アプリケーション実行部１９１は、動作欄に指定されている動作要素に従った処理を実行する（ステップＳ１０６）。
【００３３】
ステップＳ１０６の後、アプリケーション実行部１９１は、作業実施項目の進捗状況を作業進捗情報として記憶部１８０に記憶させる（ステップＳ１０７）。
また、アプリケーション実行部１９１は、表示部１３０の表示における該当項目の表示色の設定を実施済みの色に変更する（ステップＳ１０８）。当該変更に従って、表示部１３０が、表示色を変更する。
【００３４】
ステップＳ１０８の後、アプリケーション実行部１９１は、手順情報に記載されている最終項目まで完了した、または、作業中断されたか否かを判定する（ステップＳ１０９）。
手順情報に記載されている最終項目まで完了した、または、作業中断されたと判定した場合（ステップＳ１０９：ＹＥＳ）、結果を保存する（ステップＳ１１０）。
ステップＳ１１０の後、図５の処理を終了する。
【００３５】
一方、ステップＳ１０９において、手順情報に記載されている最終項目まで完了しておらず、且つ、作業中断されていないと判定した場合（ステップＳ１０９：ＮＯ）、次項目に移行する（ステップＳ１１１）。ステップＳ１１１の後、ステップＳ１０４に戻る。この場合、残りの項目についてステップＳ１０４〜Ｓ１１１のループの処理を再度実行する。
一方、ステップＳ１０４において、「実行／非実行」の要素が「実行」ではないと判定した場合（ステップＳ１０４：ＮＯ）、ステップＳ１１１へ遷移する。
【００３６】
図７は、動作要素の処理手順の例を示すフローチャートである。アプリケーション実行部１９１は、図６のステップＳ１０６において、図７の処理を実行する。
図７の処理において、アプリケーション実行部１９１は、手順情報の実施項目の「動作」要素が「手順表示」か否かを判定する（ステップＳ２０１）。
【００３７】
「動作」要素が「手順表示」であると判定した場合（ステップＳ２０１：ＹＥＳ）、アプリケーション実行部１９１は、表示制御部１９２を介して表示部１３０に、作業詳細表示領域の表示を行わせる（ステップＳ２０２）。表示部１３０は、アプリケーション実行部１９１からの指示に従って、図４の領域Ａ１２のように、作業手順の詳細情報および注意点を作業詳細表示領域に表示する。
【００３８】
作業員は、該当の作業について、作業詳細表示領域を参照して実施する。実施完了後作業員はフットスイッチ２００または表示画面から、「継続」または「終了」のボタン押下操作を行う。
アプリケーション実行部１９１は、作業員による「継続」または「終了」の情報を受け取ったか否かを判定する（ステップＳ２０３）。
【００３９】
当該情報を受け取っていないと判定した場合（ステップＳ２０３：ＮＯ）、ステップＳ２０３へ戻る。すなわち、アプリケーション実行部１９１は、作業員による「継続」または「終了」の情報の入力を待ち受ける。
一方、作業員による「継続」または「終了」の情報を受け取ったと判定した場合（ステップＳ２０３：ＹＥＳ）、アプリケーション実行部１９１は、作業詳細表示領域の表示の消去を、表示制御部１９２を介して表示部１３０に指示する（ステップＳ２０４）。表示部１３０は、アプリケーション実行部１９１からの指示に従って、作業詳細表示領域の表示を消去する。
ステップＳ２０４の後、図７の処理を終了する。
【００４０】
一方、ステップＳ２０１において、「動作」要素が「手順表示」以外であると判定した場合（ステップＳ２０１：ＮＯ）、アプリケーション実行部１９１は、指定された動作を実行する（ステップＳ２０５）。
ステップＳ２０５の後、図７の処理を終了する。
【００４１】
図８は、手順情報における表示領域の指定の例を示す説明図である。
同図の例では、表示部１３０の表示画面に領域Ａ〜Ｄが設定されている。手順情報の生成者が、手順情報の表示領域欄にて「領域Ａ」、「領域Ｂ」、「領域Ｃ」、「領域Ｄ」のいずれかを設定すると、表示部１３０は、指定された領域に文字または画像等を表示する。
例えば、図５の例と同様、領域Ａに項目名を表示させ、領域Ｂに作業手順を表示させ、領域Ｃに不具合画像や作業方法の画像などの画像を表示させ、領域Ｄに、ソフトウェアの情報を表示させるようにしてもよい。あるいは、図５の例とは異なる領域に各種情報を表示させるようにしてもよい。
【００４２】
以上のように、表示制御部１９２は、複数の作業項目のうち、実行または非実行の区別が実行となっている作業項目について、作業の指示を作業の順序に従って表示部１３０に表示させる。また、表示制御部１９２は、実行または非実行の区別が非実行となっている作業項目について、作業の指示の表示を抑制する。
これにより、手順情報作成者は、作業の運用が変更になった場合、実行または非実行の区別を非実行に設定するという簡単な操作で、非実行に設定した項目が表示されない手順情報を作成することができる。また、作業の運用が再度変更になった場合、手順情報作成者は、実効または非実行の区別を実行に設定するという簡単な操作で、一旦除外した項目を復活させることができる。
この点において、作業の運用が変更になった際の、手順情報作成者の負担を軽減することができる。
【００４３】
また、表示部１３０は、フットスイッチ２００でのユーザ操作に従って、作業の指示の表示を切り替える。
これにより、作業員は、手がふさがっている状態でも足での操作にて作業の指示の表示を切り替えさせることができる。
【００４４】
また、手順情報表示装置１は、作業の進捗情報を画面に順次表示するので、作業員は、自らが実行している作業が手順書での何番目の位置にあるか容易に判断できる。
また、作業員が作業を中断した場合、手順情報表示装置１が作業の進捗状況を記憶しておくので、作業員は、作業再開時に未実施の作業を把握できる。特に、手順情報表示装置１が、不揮発性の記憶媒体に作業の進捗情報記憶しておき、作業再開時に読み出すことで、手順情報表示装置１を再起動しても、進捗情報が失われない。
【００４５】
また、手順情報表示装置１が、作業手順と注意点を順次画面に表示することにより、作業員は実施する作業の作業手順及び注意点を予め記憶しなくても、当該作業の手順及び注意点を把握することができる。これにより、作業員の記憶相違により、想定された作業が実施できなくなるという、一般的な手順書における問題を解決できる。
また、手順情報表示装置１は、製品の不具合の複数事例画像を作業実施時に表示できるので作業員の記憶相違により、不具合を有する製品を検出できないという事態を防止できる。
【００４６】
また、手順情報表示装置１は、想定作業の実行画像を作業実行中に表示することができるので、作業員の記憶相違により、作業員が想定作業を逸脱することを防止できる。
また、手順情報表示装置１は、ソフトウェアの起動、終了等の機能も有しているので、作業員が適切なソフトウェアの起動等を実施せず作業効率を低下させることを防止できる。
また、手順情報表示装置１は、手順情報の１行毎に指定動作を実行するので、作業順序の変更、作業の追加など、作業内容を変更する場合、行の入れ替えや行の挿入によって簡単に変更を行える。更に「実行／非実行」要素の設定により、動作を実行するか実行しないかの変更を、簡単に行うことができる。
【００４７】
なお、手順情報表示装置１を教育用に用いるようにしてもよい。
例えば、製品の外観にある傷等の欠陥を検査する定性的な検査を実施する場合、外観の欠陥の良否判定基準について作業員に対して教育を実施する必要がある。作業員に対して当該教育を実施する場合、文書にて外観の欠陥を表現した書類を用いて教育を実施するよりも、手順情報表示装置１を用いて、画像と内容を順次表示させて教育を実施するほうが、効率的に教育を実施できる。
【００４８】
また、手順情報表示装置１を、複数の作業設備の同時操作に用いるようにしてもよい。
ここで、手順情報表示装置１は、作業の実施状況を手順情報に従い表示し、且つ、個々の項目の手順及び注意点を表示する。実施する作業が随時パソコンの画面に表示されるので、作業員の記憶に頼った作業は不要となる。その為、作業員が、複数の設備を１人で操作して作業を行うことが可能となる。この場合でも、作業員は複数の設備の操作方法を予め記憶しておく必要がない。
【００４９】
次に、図９を参照して本発明の最小構成について説明する。
図９は、本発明に係る手順情報表示装置の最小構成を示す概略ブロック図である。同図において、手順情報表示装置１０は、記憶部１１と、表示部１２と、表示制御部１３とを備える。
かかる構成において、記憶部１１は、複数の作業項目の各々について、作業の順序を示す情報と、作業の指示と、実行または非実行の区別を示す情報とを含む手順情報を記憶する。また、表示部１２は、記憶部１１が記憶している、作業の指示を表示する。そして、表示制御部１３は、複数の作業項目のうち、実行または非実行の区別を示す情報が実行を示している作業項目について、作業の指示を作業の順序に従って表示部１２に表示させる。一方、実行または非実行の区別が非実行となっている作業項目について、表示制御部１３は、作業の指示の表示を抑制する。
【００５０】
手順情報表示装置１０によれば、手順情報作成者は、作業の運用が変更になった場合、実行または非実行の区別を非実行に設定するという簡単な操作で、非実行に設定した項目が表示されない手順情報を作成することができる。また、作業の運用が再度変更になった場合、手順情報作成者は、実効または非実行の区別を実行に設定するという簡単な操作で、一旦除外した項目を復活させることができる。
この点において、作業の運用が変更になった際の、手順情報作成者の負担を軽減することができる。
【００５１】
なお、手順情報表示装置１０またはパソコン１００の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５２】
以上、本発明の実施形態を図面を参照して詳述してきたが、具体的な構成はこの実施形態に限られるものではなく、この発明の要旨を逸脱しない範囲の設計変更等も含まれる。
【符号の説明】
【００５３】
１、１０  手順情報表示装置
１１、１８０  記憶部
１２、１３０  表示部
１３、１９２  表示制御部
１００  パソコン
１１０  信号取得部
１２０  操作入力部
１９０  制御部
１９１  アプリケーション実行部
２００  フットスイッチ
【図１】
2016162385.tif 000003
【図２】
2016162385.tif 000004
【図３】
2016162385.tif 000005
【図４】
2016162385.tif 000006
【図５】
2016162385.tif 000007
【図６】
2016162385.tif 000008
【図７】
2016162385.tif 000009
【図８】
2016162385.tif 000010
【図９】
2016162385.tif 000011